(57)【要約】【課題】ＰＤＰの消費電力を削減するために画面輝度の制御を行う場合、画面全体の平均的な輝度が低いと階調性が悪くなる。本発明はこれを改善する。【解決手段】ＰＤＰの駆動装置１０は、画像データに増幅係数Ｋを乗算してＰＤＰ１に供給する増幅部１２と、増幅係数Ｋを算出する係数算出部１５と、ＰＤＰ１の画面輝度を制御する輝度制御部１６とを備えている。係数算出部１５は、増幅部１２に入力された画像データが白つぶれしない程度の最大の増幅係数Ｋを算出する。輝度制御部１６は、増幅された後の画像データが平均的に明るい時にはＰＤＰ１の画面輝度を下げ、増幅された後の画像データが平均的に暗い時にはＰＤＰ１の画面輝度を上げるように制御する。【選択図】図１
2005195905.tif 000002
【特許請求の範囲】
【請求項１】
画像表示装置を駆動する駆動装置において、
入力された画像信号に対して増幅係数を乗算し、増幅係数が乗算された画像信号を上記画像表示装置に入力する増幅手段と、
画面輝度量に応じて上記画像表示装置の画面輝度を制御する輝度制御手段と、
上記増幅係数及び上記画面輝度量を算出する係数算出手段とを備え、
上記係数算出手段は、
入力された画像信号の画面内の輝度成分の平均値を算出し、
入力された画像信号の画面内の輝度分布に基づき、実効的な最大値を算出し、
実効的な最大値を変数とした増幅係数の単調非増加関数である第１の関数に、算出した上記実効的な最大値を代入して上記増幅係数を算出し、
実効的な最大値を変数とした画面輝度量の単調非減少関数である第２の関数に、算出した上記実効的な最大値を代入して上記画面輝度量を算出すること
を特徴とする画像表示装置の駆動装置。
【請求項２】
上記係数算出手段は、
画面内の輝度成分の平均値を変数とした画面輝度量の単調非増加関数である第３の関数に、算出した上記画面内の輝度成分の平均値を代入して画面輝度量を算出し、
第２の関数に基づき算出した画面輝度量又は第３の関数に基づき算出した画面輝度量のうち低い方の値を上記輝度制御手段に与える画面輝度量とすること
を特徴とする請求項１記載の画像表示装置の駆動装置。
【請求項３】
上記第２の関数は、上記第１の関数の逆数に対応した関数であること
を特徴とする請求項１記載の画像表示装置の駆動装置。
【請求項４】
上記係数算出手段は、
上記画面内の輝度成分の平均値に基づき画面内の輝度成分の仮想的な最大値を算出し、算出した仮想的な最大値よりも輝度成分が大きい画素の画面内での割合を算出し、当該割合に基づき上記実効的な最大値を算出すること
を特徴とする請求項１記載の画像表示装置の駆動装置。
【請求項５】
上記係数算出手段は、
上記仮想的な最大値及び画面内の輝度成分の実際の最大値に基づき、上記仮想的な最大値よりも輝度成分が大きい画素の画面内での割合を変数とした実効的な最大値の関数である第４の関数を生成し、
上記第４の関数に、算出した上記割合を代入して上記実効的な最大値を算出すること
を特徴とする請求項１記載の画像表示装置の駆動装置。
【請求項６】
上記係数算出手段は、上記実効的な最大値に対してローパスフィルタリングした値に基づき、上記増幅係数及び画面輝度量を算出すること
を特徴とする請求項１記載の画像表示装置の駆動装置。
【請求項７】
パネル型の画像表示部と、
入力された画像信号に対して増幅係数を乗算し、増幅係数が乗算された画像信号を上記画像表示部に入力する増幅手段と、
画面輝度量に応じて上記画像表示部の画面輝度を制御する輝度制御手段と、
上記増幅係数及び上記画面輝度量を算出する係数算出手段とを備え、
上記係数算出手段は、
入力された画像信号の画面内の輝度成分の平均値を算出し、
入力された画像信号の画面内の輝度分布に基づき、実効的な最大値を算出し、
実効的な最大値を変数とした増幅係数の単調非増加関数である第１の関数に、算出した上記実効的な最大値を代入して上記増幅係数を算出し、
実効的な最大値を変数とした画面輝度量の単調非減少関数である第２の関数に、算出した上記実効的な最大値を代入して上記画面輝度量を算出すること
を特徴とする画像表示装置。
【請求項８】
上記係数算出手段は、
画面内の輝度成分の平均値を変数とした画面輝度量の単調非増加関数である第３の関数に、算出した上記画面内の輝度成分の平均値を代入して画面輝度量を算出し、
第２の関数に基づき算出した画面輝度量又は第３の関数に基づき算出した画面輝度量のうち低い方の値を上記輝度制御手段に与える画面輝度量とすること
を特徴とする請求項７記載の画像表示装置。
【請求項９】
上記第２の関数は、上記第１の関数の逆数に対応した関数であること
を特徴とする請求項７記載の画像表示装置。
【請求項１０】
上記係数算出手段は、
上記仮想的な最大値及び画面内の輝度成分の実際の最大値に基づき、上記仮想的な最大値よりも輝度成分が大きい画素の画面内での割合を変数とした実効的な最大値の関数である第４の関数を生成し、
上記第４の関数に、算出した上記割合を代入して上記実効的な最大値を算出すること
を特徴とする請求項７記載の画像表示装置。
【請求項１１】
上記係数算出手段は、
上記仮想的な最大値及び画面内の輝度成分の実際の最大値に基づき、上記仮想的な最大値よりも輝度成分が大きい画素の画面内での割合を変数とした実効的な最大値の関数である第４の関数を生成し、
上記第４の関数に、算出した上記割合を代入して上記実効的な最大値を算出すること
を特徴とする請求項７記載の画像表示装置。
【請求項１２】
上記係数算出手段は、上記実効的な最大値に対してローパスフィルタリングした値に基づき、上記増幅係数及び画面輝度量を算出すること
を特徴とする請求項１１記載の画像表示装置。
【請求項１３】
上記パネル型の画像表示部は、プラズマディスプレイであること
を特徴とする請求項７記載の画像表示装置。
【発明の詳細な説明】
【技術分野】
【０００１】
本発明は、例えば、プラズマディスプレイ等の画像表示装置並びにその駆動装置に関するものである。
【背景技術】
【０００２】
近年、フラットパネル型のディスプレイとして、プラズマディスプレイが広く用いられるようになってきている。
【０００３】
プラズマディスプレイは、発光効率があまり高くないため、例えば全面を白色に表示する場合等の画面が明るい表示になる場合に、大きな消費電力が必要となる。そのため、プラズマディスプレイでは、画面が明るくなる画像を表示する場合には画面輝度のピーク値を低くし、画面が暗くなる画像を表示する場合には画面輝度のピーク値を高くするというような、画面輝度制御を行って消費電力の抑制を行う。このような画面輝度の制御には、画像信号の輝度成分の平均値（ＡＰＬ値）を算出し、算出したＡＰＬ値に応じて、維持放電パルス数を増減させたり、又は、維持放電パルスの発生周期を変化させたりするＰＬＥ法（ピーク輝度増大法）と呼ばれる制御方法が用いられるのが一般的である（特許文献１及び特許文献２参照。）。
【０００４】
ところで、プラズマディスプレイは、入力される画像データのビット数、すなわち、表示階調数が固定化されている。そのため、ＰＬＥ法により画面輝度のピーク値を増減させると、図８に示すように、画像データの１ビット当たりの輝度変化量が変化する。従って、画面輝度のピーク値が高い場合には、画像データの１ビット当たりの輝度変化量が大きくなり、階調性が悪化してしまっていた。すなわち、ＡＰＬ値が低く暗い画像をプラズマディスプレイで表示する場合、階調性が悪化してしまっていた。
【０００５】
特に、プラズマディスプレイでは、画像データを入力する直前に、ディザ法等の疑似階調処理を利用して１２ビットから８ビットへ変換するといったような階調圧縮処理を行うのが一般的であるが、ディスプレイの階調性が悪い場合にこのような擬似階調処理を行うと、表示画像のざらつきが目立ってしまう場合がある。
【０００６】
疑似階調処理とは、信号処理部の処理ビットが例えば１２ビットであるのに対し、プラズマディスプレイへの入力ビット数が８ビットと少ない場合、減少分の階調を空間又は時間的に分散することにより、画像データのレベルを密度で表示する手法である。空間的に分散して表示した例で説明すると、例えば、図９（Ａ）に示すように、“４．１２５”というレベルを整数精度のレベルに変換する際に擬似階調圧縮を適用すると、図９（Ｂ）に示すように、８画素のうちの７画素のレベルが“４”、８画素のうちの１画素のレベルが“５”となるように変換される。人間の目は、空間的・時間的な輝度変化を積分して認識する効果があることが知られており、疑似階調処理は、この効果を利用している。このような擬似階調処理を行うことにより、ディスプレイで実際に表示可能な階調よりも細かな階調表現を行うことが可能となる。
【０００７】
ところが、このように擬似階調処理を行うと細かな階調表現が可能となるが、しかしながら、もし、１ビットあたりの輝度変化量が大きくなった場合（例えば、図９の“４”と“５”との間の輝度差が大きくなった場合）、輝度変化を積分して認識する効果が薄れて、反対に画面のざらつきが目だってしまう要因となる。
【０００８】
なお、ＰＬＥ法に基づく制御を行った際の低輝度部の階調性を改善する方法が、例えば、特許文献１に記載されている。特許文献１に記載されている提案は、ＡＰＬ値によらず１ビット当たりの輝度変化を固定とするものであるが、ピーク輝度を高くするためには、プラズマディスプレイの入力ビット数を多くする必要があり、回路構成上の課題を伴うという問題がある。
【０００９】
【特許文献１】特開２００３−２９７０４号公報
【特許文献２】特開２０００−３２２０２５号公報
【発明の開示】
【発明が解決しようとする課題】
【００１０】
本発明は、画像表示部の消費電力を削減するための画面輝度の制御を行う際に、画面全体の平均的な輝度が低い場合であっても、階調性を悪化せずに制御を行うことができる画像表示装置の駆動装置並びに画像表示装置を提供することを目的とする。
【課題を解決するための手段】
【００１１】
本発明に係る画像表示装置の駆動装置は、画像表示装置を駆動する駆動装置であって、入力された画像信号に対して増幅係数を乗算し、増幅係数が乗算された画像信号を上記画像表示装置に入力する増幅手段と、画面輝度量に応じて上記画像表示装置の画面輝度を制御する輝度制御手段と、上記増幅係数及び上記画面輝度量を算出する係数算出手段とを備え、上記係数算出手段は、入力された画像信号の画面内の輝度成分の平均値を算出し、入力された画像信号の画面内の輝度分布に基づき、実効的な最大値を算出し、実効的な最大値を変数とした増幅係数の単調非増加関数である第１の関数に、算出した上記実効的な最大値を代入して上記増幅係数を算出し、実効的な最大値を変数とした画面輝度量の単調非減少関数である第２の関数に、算出した上記実効的な最大値を代入して上記画面輝度量を算出する。
【００１２】
本発明に係る画像表示装置は、パネル型の画像表示部と、入力された画像信号に対して増幅係数を乗算し、増幅係数が乗算された画像信号を上記画像表示部に入力する増幅手段と、画面輝度量に応じて上記画像表示部の画面輝度を制御する輝度制御手段と、上記増幅係数及び上記画面輝度量を算出する係数算出手段とを備え、上記係数算出手段は、入力された画像信号の画面内の輝度成分の平均値を算出し、入力された画像信号の画面内の輝度分布に基づき、実効的な最大値を算出し、実効的な最大値を変数とした増幅係数の単調非増加関数である第１の関数に、算出した上記実効的な最大値を代入して上記増幅係数を算出し、実効的な最大値を変数とした画面輝度量の単調非減少関数である第２の関数に、算出した上記実効的な最大値を代入して上記画面輝度量を算出する。
【発明の効果】
【００１３】
本発明に係る画像表示装置及びその駆動装置では、画像信号に対して増幅係数を乗算しえ画像表示装置に入力するとともに、画面輝度量に応じて上記画像表示装置の画面輝度を制御する。上記増幅係数は、入力された画像信号の画面内の実効的な最大値を算出し、実効的な最大値を変数とした増幅係数の単調非増加関数である第１の関数に、算出した上記実効的な最大値を代入して上記増幅係数を算出する。また、上記画面輝度量は、入力された画像信号の画面内の輝度成分の平均値を算出し、実効的な最大値を変数とした画面輝度量の単調非減少関数である第２の関数に、算出した上記実効的な最大値を代入して画面輝度量を算出する。
【００１４】
このことにより本発明では、画像表示部の消費電力を削減するための画面輝度の制御を行う際に、画面全体の平均的な輝度が低い場合であっても、階調性を悪化せずに制御を行うことができる。
【発明を実施するための最良の形態】
【００１５】
以下、本発明の最良の形態として、プラズマディスプレイパネル（以下、ＰＤＰという。）の駆動装置について説明をする。
【００１６】
図１に、本発明を適用したＰＤＰの駆動装置の構成図を示す。
【００１７】
ＰＤＰ１は、平行に配置された２枚のガラス基板（表面ガラス及び背面ガラス）内に、当該ガラス基板に平行な電極（表示電極及び走査・表示電極）を備え、内部にネオンガス又はキセノンガスを封入したフラットパネル構造となっている。その動作原理は、電極間に電圧を与えることにより面放電を起し、紫外線を発生させ、この紫外線が背面ガラス側に塗布された赤、青、緑の蛍光体に照射され発光するものである。ＰＤＰ１は、他のフラットパネルに比べてコントラストが高く、視野角も広く、また、大型化が容易である。
【００１８】
このようなＰＤＰ１の駆動装置１０は、図１に示すように、入力された画像データに対してＰＤＰ１のガンマ特性に対応した逆ガンマ補正等を行う画像処理部１１と、画像処理部１１によって逆ガンマ補正等が行われた画像データに対して増幅係数Ｋを乗算する増幅部１２と、増幅部１２により増幅された画像データに対してディザ処理又は誤差拡散等を行うことによって階調数の圧縮を行う擬似階調圧縮処理部１３とを備えている。擬似階調圧縮処理部１３から出力される画像データは、ＰＤＰ１に入力される。ＰＤＰ１は、入力された画像データに応じた画像表示を行う。
【００１９】
また、ＰＤＰ１の駆動装置１０は、画像特徴検出部１４と、係数制御部１５と、輝度制御部１６とを備えている。
【００２０】
画像特徴検出部１４は、画像処理部１１によって逆ガンマ補正等が行われた画像データが入力され、その画像データから、１画面毎にその画面の特徴値（平均輝度値Ａ、実最大値ＰＲ、仮想最大値ＰＩ及び輝度分布特性値Ｄ）を算出する。
【００２１】
係数制御部１５は、画像特徴検出部１４により検出された各特徴値に基づき、増幅部１２に供給する増幅係数Ｋ及び輝度制御部１６に与える輝度制御値Ｌを算出する。
【００２２】
輝度制御部１６は、係数制御部１５により算出された輝度制御値Ｌに応じて、ＰＤＰ１の画面輝度を制御する。
【００２３】
なお、画面輝度とは、ＰＤＰ１の画面の明るさであり、画像データとは別に入力されるパラメータ（輝度制御値Ｌ）により制御される。従って、同じ画像データが入力された場合であっても、輝度制御値Ｌが大きければ明るい表示画像となり、輝度制御値Ｌが小さければ暗い画像となる。ＰＤＰ１の画面輝度の制御は、例えば、面放電を起すために電極間に印加するパルスの数を増減させたり、また、そのパルスのオン期間の周期を増減させたりすることにより行うことができる。
【００２４】
つぎに、画像特徴検出部１４及び係数制御部１５について、図２を参照して、さらに詳細に説明をする。
【００２５】
画像特徴検出部１４は、図２に示すように、実最大値検出部２１と、ＡＰＬ検出部２２と、仮想最大値算出部２３と、輝度分布特性検出部２４とを備えている。
【００２６】
実最大値検出部２１には、１画面を構成する全画素の画素レベルが、１画面毎に入力される。実最大値検出部２１は、１画面内の全画素のレベルを参照し、その中の最大の値（実最大値ＰＲ）を検出する。実最大値検出部２１は、検出した実最大値ＰＲを１画面毎に出力する。
【００２７】
ＡＰＬ検出部２２は、１画面を構成する全画素の画素レベルが、１画面毎に入力される。ＡＰＬ検出部２２は、１画面内の全画素のレベルの平均値、すなわち、１画面内の輝度成分の平均値（平均輝度値Ａ）を算出する。ＡＰＬ検出部２２は、算出した平均輝度値Ａを１画面毎に出力する。
【００２８】
仮想最大値算出部２３は、ＡＰＬ検出部２２により算出された平均輝度値Ａに基づき、仮想最大値ＰＩを算出する。仮想最大値ＰＩは、その画面の全画素の中の最大値を、平均輝度値Ａから推測した値である。仮想最大値算出部２３は、例えば仮想最大値ＰＩを平均輝度値Ａを変数とした関数で表し、この関数に基づき推測している。例えば、平均輝度値Ａの定数倍である、又は、定数を加算した値である、といったような関数で仮想最大値ＰＩを表している。この関数は必ずしも線形である必要はなく、非線形な関数であってもよい。仮想最大値算出部２３は、この関数を例えばテーブルや演算式等で内部に設定しておく。仮想最大値算出部２３は、平均輝度値Ａが１画面毎に入力されると、設定された関数の変数に平均輝度値Ａを代入し、仮想最大値ＰＩを算出する。
【００２９】
輝度分布特性検出部２４は、１画面を構成する全画素の画素レベルが１画面毎に入力されるとともに、その画面の仮想最大値ＰＩが仮想最大値算出部２３から入力される。輝度分布特性検出部２４は、１画面内の全画素のレベルと仮想最大値ＰＩとを比較し、その画面に仮想最大値ＰＩ以上のレベルの画素が何個含まれているかを算出し、その割合を算出する。輝度分布特性検出部２４は、算出した割合を輝度分布特性値Ｄとして出力する。この輝度分布特性値Ｄが意味するところは、平均輝度値Ａから相対的に見たときの高レベルの画素の存在割合である。すなわち、輝度分布特性値Ｄが高ければ、平均輝度値Ａに対して相対的に高レベルの画素が多く含まれた画面であり、高レベル部分に多くの情報が含まれている画像である。反対に、輝度分布特性値Ｄが低ければ、平均輝度値Ａに対して相対的に高レベルの画素が少ない画面であり、高レベル部分に含まれている情報が少ない画像であるといえる。
【００３０】
画像特徴検出部１４は、以上のように求めた実最大値ＰＲ、平均輝度値Ａ、仮想最大値ＰＩ、輝度分布特性値Ｄを、係数制御部１５に１画面毎に供給する。
【００３１】
係数制御部１５は、図２に示すように、実効最大値算出部２５と、時間応答性制御部２６と、係数算出部２７と、輝度制御値算出部２８とを備えている。
【００３２】
実効最大値算出部２５には、実最大値ＰＲ、仮想最大値ＰＩ、輝度分布特性値Ｄが入力される。実効最大値算出部２５は、入力されたこれらの３つの値から、実効的な最大値（実効最大値ＰＸ）を算出する。実効最大値ＰＸが意味するところは、その画面の全画素のレベルを、この値でクリップしたとしても、人間の視覚上影響は無い又は実質上問題はないというような値、すなわち、その画面の実質的な最大値である。
【００３３】
実効最大値算出部２５は、例えば、次のように実効最大値ＰＸを算出する。
【００３４】
まず、実効最大値算出部２５は、入力された実最大値ＰＲ及び仮想最大値ＰＩに基づき、図３に示すような、輝度分布特性値Ｄを変数とした実効最大値ＰＸの関数を生成する。
【００３５】
図３に示す関数は、輝度分布特性値Ｄ＝０％のときには、実効最大値ＰＸ＝仮想最大値ＰＩとなる。０％＜輝度分布特性値Ｄ≦２０％のときには、実効最大値ＰＸ＝仮想最大値ＰＩ＋（実最大値ＰＲ−仮想最大値ＰＩ）×５×Ｄとなる。輝度分布特性値Ｄ＞２０％のときには、実効最大値ＰＸ＝実最大値ＰＲとなる。といった関数である。
【００３６】
そして、実効最大値算出部２５は、生成した関数に、実際の輝度分布特性値Ｄを代入し、仮想最大値ＰＩを算出する。
【００３７】
すなわち、実効最大値算出部２５は、輝度分布特性値Ｄがある一定値以上（図３の例では２０％以上）の場合には、相対的に高レベル部分に情報が多く含まれているので、実最大値ＰＲをそのまま実効最大値ＰＸをとして出力している。一方、輝度分布特性値Ｄがある一定値以下（図３の例では２０％以下）の場合には、相対的に高レベル部分に含まれている情報が少ないので、実最大値ＰＲと仮想最大値ＰＩとの間の値を輝度分布特性値Ｄの値に応じて補間し、その補間値を実最大値ＰＲとして出力している。
【００３８】
なお、係数制御部１５は、実効的な最大値を算出できるのであれば、図３に示すような関数に限らず、どのような関数やアルゴリズムを用いてもよい。
【００３９】
以上のように求められた実効最大値ＰＸは、実効最大値算出部２５から時間応答性制御部２６に供給される。
【００４０】
時間応答性制御部２６は、１画面毎に入力される実効最大値ＰＸを時間方向に平均化し、急峻な値の変動を抑える。時間方向に平均化された実効最大値ＰＸは、係数算出部２７及び輝度制御値算出部２８に供給される。
【００４１】
係数算出部２７は、１画面毎に入力される平均化された実効最大値ＰＸに基づき、増幅部１２に与える増幅係数Ｋを算出する。具体的には、係数算出部２７は、（１）実効最大値ＰＸに増幅係数Ｋを乗算した値が画像データのデータ範囲の最大値以下（画像データが１２ビット表現で表されていれば４０９５以下）となり、（２）実効最大値ＰＸが増加したときに少なくとも増幅係数Ｋが減少せず（単調非増加関数）、（３）増幅係数Ｋが１以上となる、といった条件の実効最大値ＰＸを変数とした関数に基づき、増幅係数Ｋを算出する。この関数は、例えば、図４に示すような、増幅係数Ｋが実効最大値ＰＸに反比例する関数（Ｋ＝ｂ＋ａ/ＰＸ  ：ａ，ｂは定数）で実現できる。この関数は必ずしも線形である必要はなく、非線形な関数であってもよい。係数算出部２７は、この関数を例えばテーブルや演算式等で内部に設定しておく。係数算出部２７は、実効最大値ＰＸが１画面毎に入力されると、設定された関数の変数に実効最大値ＰＸを代入し、増幅係数Ｋを算出する。このように係数算出部２７により算出された増幅係数Ｋは、増幅部１２に供給される。
【００４２】
輝度制御値算出部２８は、１画面毎に入力される平均化された実効最大値ＰＸ及びＡＰＬ検出部２２により算出された平均輝度値Ａに基づき、輝度制御部２８に与える輝度制御量Ｌを算出する。
【００４３】
まず、輝度制御値算出部２８は、従来のＰＬＥ法（ピーク輝度増大法）と同様に画面輝度が制御されるように、平均輝度値Ａに基づき輝度制御値Ｌを算出する。具体的には、平均輝度値Ａが低い場合には輝度制御量Ｌが高くなり、平均輝度値Ａが高い場合には輝度制御量Ｌが低くなるような、図５に示すような平均輝度値Ａを変数とした単調非増加関数に基づき、輝度制御量Ｌを算出する。なお、図５に示す輝度制御量Ｌは、値が“１”のときにＰＤＰ１として制御可能な最小の画面輝度となる制御量を示している。このように算出された輝度制御量Ｌに基づき、ＰＤＰ１の画面輝度を可変すると、画面が平均的に明るい場合にはＰＤＰ１の画面輝度が下げられ、画面が平均的に暗い時にはＰＤＰ１の画面輝度が上げられるように制御がされることとなる。この関数は必ずしも線形である必要はなく、非線形な関数であってもよい。輝度制御値算出部２８は、この関数を例えばテーブルや演算式等で内部に設定しておく。
【００４４】
また、同時に、輝度制御値算出部２８は、実効最大値ＰＸに基づき輝度制御量Ｌを算出する。具体的には、増幅係数Ｋを算出するために係数算出部２７に設定されている関数の逆数の関係にある単調非減少関数に基づき、輝度制御量Ｌを算出する。例えば、増幅係数Ｋを算出するための関数が増幅係数Ｋが実効最大値ＰＸに反比例する関数（Ｋ＝ｂ＋ａ/ＰＸ  ：ａ，ｂは定数）であるならば、図６に示すように、輝度制御量Ｌが実効最大値ＰＸに比例する関数（Ｌ＝ｃ＋ｄＰＸ  ：ｃ，ｄは定数）に基づき、輝度制御量Ｌを算出する。ただし、輝度制御量Ｌが制御可能な最小の制御量よりも小さくなってしまう場合（ここではＬが１未満となる場合）には、輝度制御量Ｌをその最小の制御量でクリップする。この関数は必ずしも線形である必要はなく、非線形な関数であってもよい。輝度制御値算出部２８は、この関数を例えばテーブルや演算式等で内部に設定しておく。
【００４５】
このように輝度制御値算出部２８は、平均輝度値Ａから算出した輝度制御量Ｌと、実効最大値ＰＸから算出した輝度制御量Ｌとの２つを同時に取得する。
【００４６】
輝度制御値算出部２８は、取得した２つの輝度制御量Ｌのうち、値が低い方の一方の輝度制御量Ｌを選択して、輝度制御部１６に供給する。これを定性的に示すと、図７に示すようになる。すなわち、平均輝度値Ａ（又は実効最大値ＰＸ）が小さい場合には、実効最大値ＰＸから算出した輝度制御量Ｌが選択され、平均輝度値Ａ（又は実効最大値ＰＸ）が大きい場合には、平均輝度値Ａから算出した輝度制御量Ｌが選択されることとなる。
【００４７】
以上のように、画像特徴検出部１４及び係数制御部１５は、平均輝度値Ａ（又は実効最大値ＰＸ）が低い暗い画像の場合、画像データ自体を増幅してからＰＤＰ１に入力し、画面輝度を高くしないように制御をしている。この際に、その増幅量を、その画面が白つぶれ等の飽和をしない最大の増幅を行っている。
【００４８】
このためＰＤＰの駆動装置１０では、画像表示部の消費電力を削減するための画面輝度の制御を行う際に、画面全体の平均的な輝度が低い場合であっても、階調性を悪化せずに制御を行うことができ、そのため、例えばディザ処理等の擬似階調圧縮を行った際にざらつきを目立たなくすることができる。
【図面の簡単な説明】
【００４９】
【図１】本発明を適用したＰＤＰの駆動装置のブロック構成図である。
【図２】上記ＰＤＰの駆動装置の画像特徴検出部及び係数制御部のブロック構成図である。
【図３】実効最大値ＰＸを算出するための関数を示した図である。
【図４】増幅係数Ｋを算出するための関数を示した図である。
【図５】平均輝度値Ａから輝度制御量Ｌを算出するための関数を示した図である。
【図６】実効最大値ＰＸから輝度制御量Ｌを算出するための関数を示した図である。
【図７】図５及び図６に示した関数の関係を定性的に示す図である。
【図８】ＰＤＰの画面輝度制御を行った場合の階調性の悪化のことを説明するための図である。
【図９】擬似階調処理を説明するための図である。
【符号の説明】
【００５０】
１  ＰＤＰ、１０  ＰＤＰの駆動装置、１１  画像処理部、１２  増幅部、１３、擬似階調圧縮処理部、１４  画像特徴検出部、１５  係数制御部、１６  輝度制御部
【図１】
2005195905.tif 000003
【図２】
2005195905.tif 000004
【図３】
2005195905.tif 000005
【図４】
2005195905.tif 000006
【図５】
2005195905.tif 000007
【図６】
2005195905.tif 000008
【図７】
2005195905.tif 000009
【図８】
2005195905.tif 000010
【図９】
2005195905.tif 000011